(57)【要約】【課題】高い臨場感の得られる発火式モデルガン用カートリッジを提供する。【解決手段】火薬の発火時のガス圧により発火済みのカートリッジが排出されるモデルガンに用いられるカートリッジにおいて、カートリッジは、円筒状の薬莢と、薬莢の先端に設けられる環状の弾頭と、薬莢の後端に設けられ弾頭の開口部より大きいプライマと、薬莢内に設けられプライマに配置される火薬と、火薬と接触するようにカートリッジ内に設けられる撃針部と、を備え、薬莢がアルミニウムからなり、弾頭が真鍮からなる。【選択図】図６
0003180507.tif 000002
【実用新案登録請求の範囲】
【請求項１】
フレームと、
該フレーム上にバレルリンクにより連結された銃身と、
トリガーが引かれることにより、シアーによるロックが解除されてカートリッジ内の火薬に衝撃を与えて発火させるためのハンマーと、
前記火薬の発火時のガス圧により前記銃身に沿って後座時に前記ハンマーを起こし、復座時に発火済みのカートリッジが排出可能な開口を形成し、次のカートリッジが装填されると閉鎖するスライドと、
前記スライドを前記フレーム上で駐退復座させる駐退復座機構と、
を備えたモデルガンに用いられるカートリッジにおいて、
前記カートリッジは、
円筒状の薬莢と、
前記薬莢の先端に設けられる環状の弾頭と、
前記薬莢の後端に設けられ前記弾頭の開口部より大きいプライマと、
前記薬莢内に設けられ前記プライマに配置される火薬と、
前記火薬と接触するように前記カートリッジ内に設けられる撃針部と、
を備え、
前記薬莢がアルミニウムからなり、前記弾頭が真鍮からなることを特徴とする真鍮弾頭付きアルミ薬莢型発火式モデルガン用カートリッジ。
【考案の詳細な説明】
【技術分野】
【０００１】
本考案は、真鍮弾頭付きアルミ薬莢型発火式モデルガン用カートリッジに関する。
【背景技術】
【０００２】
図１は、一般的なブローバック式モデルガン（コルト４５口径）の左側面図であり、図２は、一般的なブローバック式モデルガンの右側面図である。図３は、図２に示したブローバック式モデルガンのスライドを引いたときの状態を示す右側面図である。図４は、図３に示したブローバック式モデルガンのカートリッジが装填されていない場合の断面図である。
【０００３】
図５（ａ）、（ｂ）に示すブローバック式モデルガン２００は、セミオート式のモデルガンであり、主にフレーム（レシーバともいう）２０３、スライド(遊底ともいう）１０３、バレル(銃身ともいう）１１１、デトネータ１１４、リコイルスプリング(復座バネともいう）１２２、ハンマー(撃鉄ともいう）１３２、トリガー(引き金ともいう）１５６、ディスコネクター２０２、シアー２０１、シアー・スプリング、及びマガジン(弾倉ともいう）１８３を備える。これらの部品は、後述するカートリッジ３００を発火させるための部品である。
【０００４】
フレーム２０３の上面後端にエジェクターが取り付けられ、左側面上側にプランジャー・チューブが取り付けられ、後端側からトリガー１５６が挿入される。
【０００５】
マガジンキャッチ１５１にマガジンキャッチ・スプリング及びマガジンキャッチロック１５３が挿入され、マガジンキャッチ１５１がフレーム２０３のグリップのトリガーガードの近傍に挿入される。
【０００６】
シアー２０１及びディスコネクター２０２がフレーム２０３の上側後端に挿入される。
ハンマー１３２は、ハンマーストラット・ピンでハンマーストラット１３４が回動自在に連結され、フレーム２０３の上部後端にハンマー・ピンで回動自在に連結される。
【０００７】
シアー・スプリングがフレーム２０３のグリップ後端に配置される。シアー・スプリングの先端によりシアー２０１がハンマー１３２をロックするように付勢され、シアー・スプリング１７２の先端１７２ｂによりディスコネクター２０２が上側に付勢される。グリップセーフティ１３１は、シアー・スプリング１７２の先端と接触するようにフレーム２０３の上部後端に配置される。
【０００８】
スライド・ストップ・プランジャー、プランジャー・スプリング、及びセーフティロック・プランジャーはこの順序でプランジャー・チューブに挿入される。
セーフティロック１６０はそのシャフトがフレーム２０３の上部後端に挿入されてセーフティロック１３１と破線で示す位置まで回動自在に連結し、セーフティロック・プランジャーにより摺動自在に押圧される。セーフティロック１６０が破線で示す位置に回動するとスライド１０３がロックされる。
【０００９】
メインスプリングハウジング１３８は、内部にハウジングピンリテイナー、メインスプリング、メインスプリングキャップが挿入された後、メインスプリングキャップピンで封印される。
【００１０】
メインスプリングハウジング１３８の下端にランヤードピン及びランヤードループが挿入される。
【００１１】
メインハウジング１３８は、フレーム２０３のグリップの下部後端から挿入され、メインスプリング・ハウジング・ピンで固定される。
【００１２】
フレーム２０３のグリップの両側にはストックアッセンブリーがストックスクリュー、ストックスクリューブッシングで取り付けられる。
【００１３】
排莢口１０３ｃが形成されたスライド１０３の後端にはエクストラクターが挿入され、ファイアリング・ピン・スプリング１０６、ファイアリング・ピン１０７、及びファイアリング・ピン・ストップ１０８が取り付けられる。
【００１４】
スライド１０３の上部前端にはフロントサイト（照星ともいう）１０２が取り付けられ、スライド１０３の上部後端にはリヤサイト（照門ともいう）１０４が取り付けられる。
【００１５】
バレル１１１にはデトネータ１１４が薬室側から挿入された後固定される。バレル１１１の下端にはバレルリンクピン１１２でバレルリンク１１３が回動自在に連結される。連結後バレル１１１は、スライド１０３の前方開口部からスライド１０３内に後向きに挿入される。
【００１６】
スライド１０３内のバレル１１１のバレルリンク１１２の前方にリコイルスプリングガイド１２１をフランジ状の頭部が接触するようにリコイルスプリングガイド１２１が配置される。
【００１７】
スライド１０３の前方開口部にバレルブッシングが斜めに挿入され、スライド１０３のマズルの下側の開口部にリコイルスプリング１２２及びリコイルスプリングプラグ１２３が挿入された後、バレルブッシングを回して締めることでリコイルスプリングプラグ１２３がロックされる。
【先行技術文献】
【特許文献】
【００１８】
【特許文献１】実用新案登録第３１７５３４１号公報
【考案の概要】
【考案が解決しようとする課題】
【００１９】
ところで、前述したカートリッジ３００は、リムケース３０１及びブレットケース３０２が真鍮からなっていた。このため、ブローバック式モデルガンを、４５口径を基準とすると、実銃のリムケース（約７ｇ）に対して真鍮製のリムケースは１８ｇもの重さがある。この重いリムケースをブローバック式モデルガンから排出すると、実銃のように飛ばずに排莢口よりそのまま下に落下してしまい、臨場感に欠ける。
また、火薬の不備等によりリムケースの排出性が悪く、排莢口に当たるとカートリッジがスライドを破損させることがある。
【００２０】
本考案は、上記問題点に鑑みてなされたもので、高い臨場感の得られる発火式モデルガン用カートリッジを提供することを目的とする。
【課題を解決するための手段】
【００２１】
係る目的を達成するために、請求項１に係る考案は、フレームと、該フレーム上にバレルリンクにより連結された銃身と、トリガーが引かれることにより、シアーによるロックが解除されてカートリッジ内の火薬に衝撃を与えて発火させるためのハンマーと、前記火薬の発火時のガス圧により前記銃身に沿って後座時に前記ハンマーを起こし、復座時に発火済みのカートリッジが排出可能な開口を形成し、次のカートリッジが装填されると閉鎖するスライドと、前記スライドを前記フレーム上で駐退復座させる駐退復座機構と、を備えたモデルガンに用いられるカートリッジにおいて、前記カートリッジは、円筒状の薬莢と、前記薬莢の先端に設けられる環状の弾頭と、前記薬莢の後端に設けられ前記弾頭の開口部より大きいプライマと、前記薬莢内に設けられ前記プライマに配置される火薬と、前記火薬と接触するように前記カートリッジ内に設けられる撃針部と、を備え、前記薬莢がアルミニウムからなり、前記弾頭が真鍮からなることを特徴とする。
【考案の効果】
【００２２】
本考案によれば、高い臨場感の得られる発火式モデルガン用カートリッジの提供が可能となる。
【図面の簡単な説明】
【００２３】
【図１】一般的なブローバック式モデルガン（コルト４５口径）の左側面図である。
【図２】一般的なブローバック式モデルガンの右側面図である。
【図３】図２に示したブローバック式モデルガンのスライドを引いたときの状態を示す右側面図である。
【図４】図３に示したブローバック式モデルガンのカートリッジが装填されていない場合の断面図である。
【図５】図１に示したブローバック式モデルガンに用いられるカートリッジの側面図である。
【図６】（ａ）は図５のVIａ−VIａ線断面図であり、（ｂ）は、（ａ）に示したカートリッジに用いられるインナーの側面図であり、（ｃ）は、（ｂ）に示したインナーの矢印Ｐ３０６方向の矢視図であり、（ｄ）は、カートリッジを図１に示したブローバック式モデルガンに装填したときの状態を示す部分断面図であり、（ｅ）は、ファイアリング・ピンがカートリッジのプライマに衝突したときの状態を示す部分断面図であり、（ｆ）は、カートリッジのＣＡＰ火薬が破裂したときの状態を示す部分断面図である。
【考案を実施するための形態】
【００２４】
以下に本考案の実施形態について、図面を参照して詳細に説明する。
＜構  成＞
図５は、図１に示したブローバック式モデルガンに用いられるカートリッジの側面図である。図６（ａ）は図５のVIａ−VIａ線断面図であり、図６（ｂ）は、図６（ａ）に示したカートリッジに用いられるインナーの側面図であり、図６（ｃ）は、図６（ｂ）に示したインナーの矢印Ｐ３０６方向の矢視図であり、図６（ｄ）は、カートリッジを図１に示したブローバック式モデルガンに装填したときの状態を示す部分断面図であり、図６（ｅ）は、ファイアリング・ピンがカートリッジのプライマに衝突したときの状態を示す部分断面図であり、図６（ｆ）は、カートリッジのＣＡＰ火薬が破裂したときの状態を示す部分断面図である。
【００２５】
カートリッジ３００は、ほぼ円筒状のリムケース（薬莢）３０１と、リムケース３０１の先端部にネジ止め可能な円筒状のブレットケース（弾頭）３０２と、リムケース３０１の底部に設けられるプライマ３０３と、ＣＡＰ火薬３０４と、Ｏリング３０５と、ほぼ円錐状のインナー３０６と、を有する。
【００２６】
＜動  作＞
ＣＡＰ火薬３０４は、破裂前はＯリング３０５で密閉された状態でリムケース３０１内に位置し、破裂時はブレットケース３０２内に吹き飛ばされると共に外周部の隙間から爆風が排出され、破裂音が周囲に響き渡るようになっている。このとき、デトネータ１１４は固定されているので、カートリッジ３００は爆風で図の左側に移動しファイアリング・ピン１０７ごとスライド１０３（図３参照）が後方に移動する。
尚、ＣＡＰ火薬３０４の破裂後、ブレットケース３０２をリムケース３０１から外し、ＣＡＰ火薬３０４とインナー３０６とを取り出した後、ＣＡＰ火薬３０４やインナー３０５を再び装着することにより、再利用が可能である
【００２７】
ここで、リムケース３０１はアルミニウムからなり、ブレットケース３０２は真鍮からなっている。
このため、本願のカートリッジ３００は、実銃用のリムケースとほぼ同じ７ｇであり、排莢時の飛び方も実銃用のリムケースと同様となり、高い臨場感が得られる。
また、本願のカートリッジ３００は、従来のカートリッジより軽量のため、ブローバック式モデルガン２００への負担が少ない。
本願のカートリッジ３００は、真鍮とアルミニウムとを用いたので、螺子の食い付きを防止することができる。
本願のカートリッジ３００は、ブレットケース３０２がリムケース３０１より重いので、排莢時にカートリッジ３００が回転しながら飛ぶため、高い臨場感が得られる。
【００２８】
尚、上述した実施の形態は、本考案の好適な実施の形態の一例を示すものであり、本考案はそれに限定されることなく、その要旨を逸脱しない範囲内において、種々変形実施が可能である。
例えば、上述した実施の形態では、アルミニウムと真鍮の場合で説明したが、同様の重量が得られるのであれば、他の材質を用いてもよい。
【符号の説明】
【００２９】
１０２    フロントサイト（照星）
１０３    スライド（遊底）
１０３ｃ    排莢口
１０４    リヤサイト（照門）
１０６    ファイアリング・ピン・スプリング
１０７    ファイアリング・ピン
１０８    ファイアリング・ピン・ストップ
１１１    バレル
１１２    バレルリンクピン
１１３    バレルリンク
１１４    デトネータ
１２１    リコイルスプリングガイド
１２２    リコイルスプリング
１２３    リコイルスプリングプラグ
１３１    グリップセーフティ
１３２    ハンマー（撃鉄）
１３４    ハンマーストラット
１３８    メインスプリングハウジング
１５１    マガジンキャッチ
１５３    マガジンキャッチロック
１５６    トリガー（引き金）
１６０    セーフティロック
１８３    マガジン
２００    ブローバック式モデルガン
２０１    シアー
２００    ブローバック式モデルガン
２０２    ディスコネクター
２０３    フレーム（レシーバ）
３００    カートリッジ
３０１    リムケース
３０２    ブレットケース
３０３    プライマ
３０４    ＣＡＰ火薬
３０５    Ｏリング
３０６    インナー
【図１】
0003180507.tif 000003
【図２】
0003180507.tif 000004
【図３】
0003180507.tif 000005
【図４】
0003180507.tif 000006
【図５】
0003180507.tif 000007
【図６】
0003180507.tif 000008